(57)【要約】【課題】ブラケットの剛性をより向上させつつ、容易にポンプ装置の共振を回避することができるプロテクタを提供する。【解決手段】プロテクタ６０は、突出部６３（６２）と、壁部６４と、突出部６３（６２）とフランジ部４３（４２）とが離間した状態で突出部６３（６２）とフランジ部４３（４２）とを締結可能な締結装置５１（５０）とを備える。締結装置５１（５０）は、突出部６３（６２）をフランジ部４３（４２）に近接する方向に付勢する付勢部材５１ａ（５０ａ）と、突出部６３（６２）とフランジ部４３（４２）とを連結可能な連結部材５１ｂ（５０ｂ）とを備えている。【選択図】図５
2018184882.tif 000002
【特許請求の範囲】
【請求項１】
ブラケットのフランジ部に対向可能な突出部と、
前記突出部に接続された壁部と、
前記突出部と前記フランジ部とが離間した状態で前記突出部と前記フランジ部とを締結可能な締結装置とを備え、
前記締結装置は、
前記突出部を前記フランジ部に近接する方向に付勢する付勢部材と、
前記突出部と前記フランジ部とを連結可能な連結部材とを備えていることを特徴とするプロテクタ。
【請求項２】
前記締結装置は、前記突出部と前記フランジ部との間に配置され、前記突出部を前記フランジ部から離間する方向に付勢する付勢部材をさらに備えていることを特徴とする請求項１に記載のプロテクタ。
【請求項３】
前記突出部および前記壁部に接続されたリブをさらに備えていることを特徴とする請求項１または２に記載のプロテクタ。
【請求項４】
前記締結装置は、前記リブの両側に配置された複数の締結装置であることを特徴とする請求項３に記載のプロテクタ。
【請求項５】
回転軸と、
前記回転軸に固定された羽根車と、
前記羽根車を収容するポンプケーシングと、
前記羽根車を回転させるモータと、
前記モータと前記ポンプケーシングとを接続するブラケットと、
前記ブラケットに隣接して配置されたプロテクタとを備え、
前記プロテクタは、
前記ブラケットのフランジ部に対向する突出部と、
前記突出部に接続された壁部と、
前記突出部と前記フランジ部とが離間した状態で前記突出部と前記フランジ部とを締結する締結装置とを備え、
前記締結装置は、
前記突出部を前記フランジ部に近接する方向に付勢する付勢部材と、
前記突出部と前記フランジ部とを連結する連結部材とを備えていることを特徴とするポンプ装置。
【請求項６】
前記締結装置は、前記突出部と前記フランジ部との間に配置され、前記突出部を前記フランジ部から離間する方向に付勢する付勢部材をさらに備えていることを特徴とする請求項５に記載のポンプ装置。
【請求項７】
前記突出部および前記壁部に接続されたリブをさらに備えていることを特徴とする請求項５または６に記載のポンプ装置。
【請求項８】
前記締結装置は、前記リブの両側に配置された複数の締結装置であることを特徴とする請求項７に記載のポンプ装置。
【発明の詳細な説明】
【技術分野】
【０００１】
本発明は、プロテクタおよび該プロテクタを備えたポンプ装置に関するものである。
【背景技術】
【０００２】
ポンプとモータとの間に配置されたブラケットの剛性を向上させる技術が知られている（特許文献１参照）。ポンプの固有振動数を調整する構造を有するブラケットが知られている（特許文献２参照）。ポンプとモータとの間に配置された連結フレームの剛性を変更する加圧調整部材が知られている（特許文献３参照）。
【先行技術文献】
【特許文献】
【０００３】
【特許文献１】実開平６−６７８９６号公報
【特許文献２】実開昭６１−９９６９９号公報
【特許文献３】特開平５−６００９９号公報
【発明の概要】
【発明が解決しようとする課題】
【０００４】
しかしながら、このような技術は、単純にブラケットの剛性を向上する技術であったり（特許文献１参照）、またはフランジの全周に亘ってブラケットの固有振動数を調整する構造を設ける必要がある（特許文献２参照）。
【０００５】
特許文献３の技術では、加圧調整部材の加圧力は、ボルトの大きさ、本数、および締め付け力に依存し、装置の共振の度合いによってこの加圧力を調整する必要がある。したがって、このような技術では、連結フレームへの加圧力の調整はユーザーの技量に依存しなければならず、共振を回避するためには高い技術力が必要になる。
【０００６】
本発明は、上述した事情に鑑みてなされたものであり、ブラケットの剛性をより向上させつつ、容易にポンプ装置の共振を回避することができるプロテクタを提供することを目的とする。
さらに、本発明は、該プロテクタを備えたポンプ装置を提供することを目的とする。
【課題を解決するための手段】
【０００７】
一態様は、ブラケットのフランジ部に対向可能な突出部と、前記突出部に接続された壁部と、前記突出部と前記フランジ部とが離間した状態で前記突出部と前記フランジ部とを締結可能な締結装置とを備え、前記締結装置は、前記突出部を前記フランジ部に近接する方向に付勢する付勢部材と、前記突出部と前記フランジ部とを連結可能な連結部材とを備えていることを特徴とするプロテクタである。
【０００８】
好ましい態様は、前記締結装置は、前記突出部と前記フランジ部との間に配置され、前記突出部を前記フランジ部から離間する方向に付勢する付勢部材をさらに備えていることを特徴とする。
好ましい態様は、前記突出部および前記壁部に接続されたリブをさらに備えていることを特徴とする。
好ましい態様は、前記締結装置は、前記リブの両側に配置された複数の締結装置であることを特徴とする。
【０００９】
他の態様は、回転軸と、前記回転軸に固定された羽根車と、前記羽根車を収容するポンプケーシングと、前記羽根車を回転させるモータと、前記モータと前記ポンプケーシングとを接続するブラケットと、前記ブラケットに隣接して配置されたプロテクタとを備え、前記プロテクタは、前記ブラケットのフランジ部に対向する突出部と、前記突出部に接続された壁部と、前記突出部と前記フランジ部とが離間した状態で前記突出部と前記フランジ部とを締結する締結装置とを備え、前記締結装置は、前記突出部を前記フランジ部に近接する方向に付勢する付勢部材と、前記突出部と前記フランジ部とを連結する連結部材とを備えていることを特徴とするポンプ装置である。
【００１０】
好ましい態様は、前記締結装置は、前記突出部と前記フランジ部との間に配置され、前記突出部を前記フランジ部から離間する方向に付勢する付勢部材をさらに備えていることを特徴とする。
好ましい態様は、前記突出部および前記壁部に接続されたリブをさらに備えていることを特徴とする。
好ましい態様は、前記締結装置は、前記リブの両側に配置された複数の締結装置であることを特徴とする。
【発明の効果】
【００１１】
プロテクタは、ブラケットの剛性を向上させる要素と、ポンプ装置の固有振動数を変化させる要素とを備えている。したがって、プロテクタは、ブラケットの剛性をさらに向上させつつ、ポンプ装置の共振を容易に回避することができる。
【図面の簡単な説明】
【００１２】
【図１】ポンプ装置の一実施形態を示す断面図である。
【図２】図１に示すポンプ装置の外観を示す模式図である。
【図３】ブラケットを示す斜視図である。
【図４】プロテクタを示す斜視図である。
【図５】ブラケットに連結されたプロテクタを示す図である。
【図６】プロテクタの他の実施形態を示す図である。
【図７】プロテクタのさらに他の実施形態を示す図である。
【図８】プロテクタのさらに他の実施形態を示す図である。
【図９】プロテクタのさらに他の実施形態を示す図である。
【発明を実施するための形態】
【００１３】
以下、図面を参照して、本発明の実施形態について説明する。以下の図面において、同一または相当する構成要素には、同一の符号を付して重複した説明を省略する。
【００１４】
図１は、ポンプ装置の一実施形態を示す断面図である。本実施形態では、ポンプ装置は、ポンプ２とモータ７とを備えた立軸ポンプ装置である。図１に示すように、ポンプ装置は、回転軸であるポンプ軸１と、ポンプ軸１に固定された羽根車３と、羽根車３を収容するポンプケーシング５と、モータ軸６を有するモータ７と、モータ軸６とポンプ軸１とを連結する軸継手２０と、高圧の液体の漏洩を防止するための軸封装置３０とを備えている。ポンプケーシング５は、吸込口１２と吐出口１３とを有している。本実施形態では、ポンプ軸１およびモータ軸６は鉛直に配置されている。ポンプ２は、ポンプ軸１、羽根車３、およびポンプケーシング５を備えている。
【００１５】
モータ７が駆動されると、モータ軸６の回転は、モータ軸６から軸継手２０を介してポンプ軸１に伝達され、ポンプ軸１および羽根車３が回転する。羽根車３が回転すると、液体は吸込口１２を通ってポンプケーシング５内に流入し、羽根車３の回転に伴って昇圧される。昇圧された液体は、吐出口１３から吐き出される。
【００１６】
軸継手２０は、モータ軸６に固定されたモータ側ブッシュ２１と、ポンプ軸１に固定されたポンプ側ブッシュ２２と、モータ側ブッシュ２１とポンプ側ブッシュ２２との間に配置されたスペーサ２３とを備えている。モータ側ブッシュ２１は、セットビス２４によってモータ軸６に取り外し可能に固定され、ポンプ側ブッシュ２２は、セットビス２５によってポンプ軸１に取り外し可能に固定されている。
【００１７】
スペーサ２３は、複数のボルト２６によってモータ側ブッシュ２１とポンプ側ブッシュ２２に取り外し可能に連結されている。モータ軸６の端部６ａとポンプ軸１の端部１ａとが離れた状態でモータ軸６とポンプ軸１とを連結する軸継手２０は、スペーサカップリングとも呼ばれる。
【００１８】
モータ７とポンプケーシング５との間にはブラケット４０が配置されており、ブラケット４０はポンプケーシング５とモータ７とを接続している。軸継手２０、モータ軸６の端部６ａ、およびポンプ軸１の端部１ａは、ブラケット４０内に位置している。
【００１９】
図２は、図１に示すポンプ装置の外観を示す模式図である。ブラケット４０には開口４０ａが形成されている。この開口４０ａは、作業員が軸継手２０および軸封装置３０にアクセス可能とするために設けられている。本実施形態では、開口４０ａはプロテクタ６０で覆われている。
【００２０】
本実施形態では、ブラケット４０の胴体４６には１つの開口４０ａが形成されている。一実施形態では、胴体４６には複数の開口が形成されてもよい。この場合、開口の数に対応する数のプロテクタ６０が設けられ、各開口は各プロテクタによって閉じられる。しかしながら、開口４０ａは必ずしもプロテクタ６０で覆われる必要はなく、一実施形態では、開口４０ａはプロテクタ６０とは別の保護カバーで覆われてもよい。プロテクタ６０の詳細については後述する。
【００２１】
図３はブラケット４０を示す斜視図である。ブラケット４０は、ポンプ軸１の軸方向に延びる胴体４６と、胴体４６の一端部から外側に張り出したフランジ部４２と、胴体４６の他端部から外側に張り出したフランジ部４３とを備えている。開口４０ａは胴体４６に形成されている。
【００２２】
本実施形態では、フランジ部４２は、胴体４６の下端部から外側に張り出しており、フランジ部４３は、胴体４６の上端部から外側に張り出している。フランジ部４２はポンプケーシング５に連結されており、フランジ部４３はモータ７のモータケーシング８に連結されている。フランジ部４２は下部フランジ部と呼ばれてもよく、フランジ部４３は上部フランジ部と呼ばれてもよい。
【００２３】
図４はプロテクタ６０を示す斜視図である。本発明のプロテクタ６０は、開口４０ａを閉止する目的以外にも、ブラケット４０の剛性をより向上させつつ、容易にポンプ装置（すなわち、ポンプ２およびモータ７）の共振を回避することができる。ポンプ装置の共振は、ポンプ装置に加えられる加振周波数とポンプ装置固有の固有振動数との一致によって発生しうる。この加振周波数は、インバータによってモータ７の運転周波数を変更する際に変化するが、固有振動数はポンプ装置固有の振動数であり、基本的に一定である。したがって、加振周波数の変更によって加振周波数が固有振動数と一致すると、ポンプ装置に非常に大きな振動が発生してしまう。本発明のプロテクタ６０は、このような共振を回避することができ、かつブラケット４０の剛性もより向上させることができる。
【００２４】
ブラケット４０に隣接するプロテクタ６０は、ブラケット４０のフランジ部４２に対向可能な突出部６２と、ブラケット４０のフランジ部４３に対向可能な突出部６３と、突出部６２，６３に接続された壁部６４とを備えている。突出部６２は下部突出部と呼ばれてもよく、突出部６３は上部突出部と呼ばれてもよい。
【００２５】
壁部６４の内面は、胴体４６の外面の形状に沿った形状を有している。壁部６４は鉛直方向に、すなわち、ポンプ軸１（およびモータ軸６）の軸方向と平行に延びており、突出部６２，６３はポンプ軸１（およびモータ軸６）の軸方向と垂直に延びている。本実施形態では、壁部６４は、突出部６２，６３の間に配置されており、ブラケット４０の開口４０ａを閉じている。
【００２６】
プロテクタ６０は、突出部６２，６３の間に配置されたリブ６５をさらに備えている。リブ６５は、突出部６２，６３および壁部６４に接続されており、壁部６４の外面から外側に延びている。リブ６５は壁部６４の中心に配置されており、ポンプ軸１の軸方向に延びている。本実施形態では、１つのリブ６５が設けられているが、２つ以上のリブ６５が設けられてもよい。
【００２７】
一実施形態では、プロテクタ６０の構成部材（すなわち、突出部６２，６３、壁部６４、およびリブ６５）は一体成形部材であってもよく、または別部材から構成されてもよい。プロテクタ６０の材質は、例えば、鋳鉄、鋼板などの金属である。
【００２８】
本実施形態では、１つのプロテクタ６０が設けられているが、２つ以上のプロテクタ６０が設けられてもよい。一実施形態では、ブラケット４０の剛性を均一に向上させるために、プロテクタ６０の数は偶数であることが好ましい。複数のプロテクタ６０は、ブラケット４０の周方向に沿って等間隔に配置されてもよい。
【００２９】
図５はブラケット４０に連結されたプロテクタ６０を示す図である。図５に示すように、プロテクタ６０は、フランジ部４２と突出部６２とが密着した状態で、これらフランジ部４２および突出部６２を締結する締結装置５０，５０と、フランジ部４３と突出部６３とが離間した状態で、これら突出部６３とフランジ部４３とを締結する締結装置５１，５１とを備えている。
【００３０】
本実施形態では、２つの締結装置５０はリブ６５の両側に配置されている。一実施形態では、少なくとも１つの締結装置５０が設けられてもよく、締結装置５０の配置箇所も本実施形態に限定されない。同様に、２つの締結装置５１はリブ６５の両側に配置されている。一実施形態では、少なくとも１つの締結装置５１が設けられてもよく、締結装置５１の配置箇所も本実施形態に限定されない。
【００３１】
フランジ部４２には、締結装置５０が螺合されるねじ穴４２ａが形成されており、突出部６２には、締結装置５０が貫通する貫通穴６２ａが形成されている。これらねじ穴４２ａおよび貫通穴６２ａを接続し、締結装置５０をねじ穴４２ａおよび貫通穴６２ａに挿入することにより、これらフランジ部４２および突出部６２は互いに締結される。
【００３２】
フランジ部４３には、締結装置５１が螺合されるねじ穴４３ａが形成されており、突出部６３には、締結装置５１が貫通する貫通穴６３ａが形成されている。これらねじ穴４３ａおよび貫通穴６３ａを接続し、締結装置５１をねじ穴４３ａおよび貫通穴６３ａに挿入することにより、これらフランジ部４３および突出部６３は互いに締結される。本実施形態では、ねじ穴４３ａは貫通しているが、貫通していなくてもよい。
【００３３】
突出部６３とフランジ部４３との間には、隙間Ｇが形成されている。この隙間Ｇはプロテクタ６０全体の引っ張りによる変形を許容するための隙間であり、隙間Ｇの大きさはプロテクタ６０全体がフランジ部４３に近接する方向に変形させることができる大きさである。
【００３４】
締結装置５１は、少なくともプロテクタ６０全体をフランジ部４３に近接する方向に変形させるように構成されている。より具体的には、締結装置５１は、突出部６３をフランジ部４３に近接する方向に付勢する付勢部材（本実施形態では、頭部）５１ａと、突出部６３とフランジ部４３とを連結可能な連結部材（本実施形態では、棒部）５１ｂとを備えている。締結装置５１は、付勢力調整装置と呼ばれてもよい。
【００３５】
付勢部材５１ａは突出部６３に隣接して配置されている。より具体的には、付勢部材５１ａは突出部６２と突出部６３との間に配置されている。連結部材５１ｂは、突出部６３の貫通穴６３ａを貫通してフランジ部４３のねじ穴４３ａに挿入されている。
【００３６】
連結部材５１ｂの一端は、付勢部材５１ａに接続されており、他端は、ねじ穴４３ａの内部に位置している。モータケーシング８とフランジ部４３との接続構造によっては、連結部材５１ｂはねじ穴４３ａを貫通していてもよく、この場合、連結部材５１ｂの他端はねじ穴４３ａの外部に位置してもよい。
【００３７】
本実施形態では、締結装置５１はボルトである。したがって、締結装置５１を一方向に回転させると、付勢部材５１ａは突出部６３に近接する方向に移動し、締結装置５１を反対方向に回転させると、付勢部材５１ａは突出部６３から離間する方向に移動する。
【００３８】
付勢部材５１ａが突出部６３に近接する方向に移動すると、付勢部材５１ａは、突出部６３に押し付けられ、突出部６３をフランジ部４３に近接する方向（すなわち、突出部６２から離間する方向）に付勢する。締結装置５０は、突出部６２をフランジ部４２に固定しているため、突出部６２は付勢部材５１ａの付勢力によってもフランジ部４２から離間することはない。突出部６３は付勢部材５１ａの付勢力によってプロテクタ６０全体が変形し、フランジ部４３に近接する方向に移動する。
【００３９】
プロテクタ６０は、締結装置５１の突出部６３への付勢により、ブラケット４０の剛性を向上させることができる。つまり、プロテクタ６０は、締結装置５１の締め付け具合により、ブラケット４０の剛性を変化させることができる。このようにして、ブラケット４０の剛性を変化させることにより、プロテクタ６０は、ブラケット４０を含むポンプ装置の固有振動数を変化させることができる。
【００４０】
本実施形態によれば、プロテクタ６０は、ポンプ装置の固有振動数を変化させることにより、上述した加振周波数を変更させることなく、ポンプ装置の共振を容易に回避することができる。さらに、プロテクタ６０は、突出部６２，６３と壁部６４とを備えているため、ブラケット４０の剛性を向上することができる。リブ６５を備えたプロテクタ６０は、ブラケット４０の剛性をさらに向上することができる。
【００４１】
一実施形態では、付勢部材５１ａと連結部材５１ｂとは別部材から構成されてもよい。この場合、付勢部材５１ａは相対移動可能に連結部材５１ｂに取り付けられており、付勢部材５１ａは連結部材５１ｂの軸方向に移動可能である。
【００４２】
図６はプロテクタ６０の他の実施形態を示す図である。本実施形態において、上述した実施形態と同一または相当する部材には同一符号を付して重複した説明を省略する。図６に示すように、締結装置５１は、付勢部材５１ａとは別個の付勢部材（本実施形態では、ナット）６９をさらに備えてもよい。この付勢部材６９は、付勢部材５１ａと突出部６３との間に配置されており、連結部材５１ｂに相対移動可能に取り付けられている。付勢部材６９は、連結部材５１ｂの軸方向に移動可能である。
【００４３】
図７はプロテクタ６０のさらに他の実施形態を示す図である。本実施形態において、上述した実施形態と同一または相当する部材には同一符号を付して重複した説明を省略する。本実施形態では、締結装置５０は、突出部６２とフランジ部４２とが離間した状態で突出部６２とフランジ部４２とを締結しており、締結装置５１は、突出部６３とフランジ部４３とが密着した状態で突出部６３とフランジ部４３とを締結している。
【００４４】
図７に示すように、締結装置５０は、突出部６２をフランジ部４２に近接する方向に付勢する付勢部材５０ａと、突出部６２とフランジ部４２とを連結可能な連結部材５０ｂとを備えている。締結装置５０は、付勢力調整装置と呼ばれてもよい。
【００４５】
付勢部材５０ａは突出部６２に隣接して配置されている。より具体的には、付勢部材５０ａは突出部６２と突出部６３との間に配置されている。連結部材５０ｂは、突出部６２の貫通穴６２ａを貫通してフランジ部４２のねじ穴４２ａに挿入されている。隙間Ｇは突出部６２とフランジ部４２との間に形成されている。本実施形態によっても、上述した実施形態と同様の効果を奏することができる。
【００４６】
図８はプロテクタ６０のさらに他の実施形態を示す図である。本実施形態において、上述した実施形態と同一または相当する部材には同一符号を付して重複した説明を省略する。図８に示すように、締結装置５１は、突出部６３とフランジ部４３との間に配置され、突出部６３をフランジ部４３から離間する方向に付勢する付勢部材（本実施形態では、ナット）７０をさらに備えている。
【００４７】
本実施形態では、締結装置５１は、付勢部材５１ａによってプロテクタ６０全体をフランジ部４３に近接する方向に変形させることができ、かつ付勢部材７０によってプロテクタ６０全体をフランジ部４３から離間する方向に変形させることができる。図８に示すプロテクタ６０を図７に示す実施形態と同様に配置してもよい。
【００４８】
付勢部材７０は、突出部６３とフランジ部４３との間に配置されており、相対移動可能に連結部材５１ｂに取り付けられている。付勢部材７０は、連結部材５１ｂの軸方向に移動可能である。付勢部材７０が突出部６３に近接する方向に移動すると、付勢部材７０は、突出部６３に押し付けられ、突出部６３をフランジ部４３から離間する方向（すなわち、突出部６２に近接する方向）に付勢する。結果として、プロテクタ６０全体は付勢部材７０によってフランジ部４３から離間する方向に変形する。このようにして、プロテクタ６０は、ブラケット４０の剛性を変化させることができ、ブラケット４０を含むポンプ装置の固有振動数を変化させることができる。
【００４９】
プロテクタ６０は剛性を有する構成要素（突出部６２，６３および壁部６４を含む）を備えているため、プロテクタ６０全体は締結装置５１を用いてフランジ部４３に近接および離間する方向に変形することができる。したがって、プロテクタ６０は、ポンプ装置の幅広い固有振動数の調整を行うことができ、インバータを用いたモータ７の可変速運転に対しても有効である。
【００５０】
図９はプロテクタ６０のさらに他の実施形態を示す図である。本実施形態において、上述した実施形態と同一または相当する部材には同一符号を付して重複した説明を省略する。図９では、締結装置５１は、図６に示す付勢部材６９と、図８に示す付勢部材７０とを備えている。
【００５１】
本実施形態では、付勢部材６９は突出部６３の下方（付勢部材５１ａと突出部６３との間）に配置されており、付勢部材７０は突出部６３の上方（フランジ部４３と突出部６３との間）に配置されている。締結装置５１は、付勢部材６９を突出部６３に押し付けて、突出部６３を上方に付勢することにより、プロテクタ６０全体をフランジ部４３に近接させることができる。さらに、締結装置５１は、付勢部材７０を突出部６３に押し付けて、突出部６３を下方に付勢することにより、プロテクタ６０全体をフランジ部４３から離間させることができる。本実施形態においても、図９に示すプロテクタ６０を図７に示す実施形態と同様に配置してもよい。
【００５２】
上述した実施形態は、本発明が属する技術分野における通常の知識を有する者が本発明を実施できることを目的として記載されたものである。上記実施形態の種々の変形例は、当業者であれば当然になしうることであり、本発明の技術的思想は他の実施形態にも適用しうる。したがって、本発明は、記載された実施形態に限定されることはなく、特許請求の範囲によって定義される技術的思想に従った最も広い範囲に解釈されるものである。
【符号の説明】
【００５３】
１      ポンプ軸
１ａ      端部
２      ポンプ
３      羽根車
５      ポンプケーシング
６      モータ軸
６ａ      端部
７      モータ
８      モータケーシング
１２      吸込口
１３      吐出口
２０      軸継手
２１      モータ側ブッシュ
２２      ポンプ側ブッシュ
２３      スペーサ
２４，２５      セットビス
２６      ボルト
３０      軸封装置
４０      ブラケット
４０ａ    開口
４２，４３      フランジ部
４２ａ，４３ａ  ねじ穴
４６      胴体
５０      締結装置
５０ａ    付勢部材（頭部）
５０ｂ    連結部材（棒部）
５１      締結装置
５１ａ    付勢部材（頭部）
５１ｂ    連結部材（棒部）
６０      プロテクタ
６２，６３      突出部
６２ａ，６３ａ  貫通穴
６４      壁部
６５      リブ
６９，７０      付勢部材（ナット）
【図１】
2018184882.tif 000003
【図２】
2018184882.tif 000004
【図３】
2018184882.tif 000005
【図４】
2018184882.tif 000006
【図５】
2018184882.tif 000007
【図６】
2018184882.tif 000008
【図７】
2018184882.tif 000009
【図８】
2018184882.tif 000010
【図９】
2018184882.tif 000011